(57)【要約】【課題】  半身不随障害者などが、片手で簡単にワンタッチ操作できる電動式タオル絞り機を提供する。【解決手段】  本発明は、減速機付き電動機、駆動側が軸であり被駆動側が筒状であって互いに軸方向に摺動可能で回転力を伝えることができる摺動軸継ぎ手、被駆動筒に連結された連結軸の軸方向の動きを所定の位置に固定させるための円錐形コイルバネ、タオル掛けフック及び連結軸の途中に設けた球状のふくらみ、該球状のふくらみにより作動するマイクロスイッチからなり、タオル掛けフックに掛けたタオルを引くことにより、マイクロスイッチが作動し電動機が起動し該回転がタオル掛けフックに伝わりタオルを絞ることを特徴とする。【選択図】図１
2010038522.tif 000002
【特許請求の範囲】
【請求項１】
本体ケースに摺動軸継ぎ手、連結軸、円錐形コイルバネ及びマイクロスイッチを内臓し、本体ケース内の摺動軸継ぎ手の駆動軸は一端で減速機に連結され、被駆動筒は連結軸に連結され、連結軸の他端にタオル掛けフックを設けた電動式タオル絞り機において、連結軸の中間の位置にマイクロスイッチを作動させるための球形の膨らみを有し、球形の膨らみは常時は円錐形コイルバネの力により減速機側に位置し、タオル掛けフックに掛けたタオルを軸方向に引っ張ることにより、円錐形コイルバネの力に抗して連結軸がタオル掛けフック方向に移動し、結果連結軸上に設けた球状の膨らみによりマイクロスイッチが作動し減速機付き電動機が起動することによりタオル掛けフックが回転しタオルが絞られ、タオルから手を離すことにより、円錐形コイルバネの力に従ってタオル掛けフックが本体側に移動するに伴い連結軸上に設けた球状の膨らみは摺動継ぎ手側に移動しマイクロスイッチがオフ状態になることにより電動機が停止し、一方、タオルから手を離すことなくさらに絞り続けてタオル掛けフックがタオル側に移動するに伴い連結軸上に設けた球状の膨らみはタオル側に移動しマイクロスイッチがオフ状態になることにより過負荷時停止機能を有することを特徴とする電動式タオル絞り機。
【請求項２】
請求項１記載の摺動軸継ぎ手において、減速機に連結する駆動軸及び駆動軸に揺動する被駆動筒の軸に垂直な横断面がそれぞれ円形をなし、駆動軸上で減速機と相対する端近くで外周上相対向する位置に２個の突起を設け、被駆動筒内に設けた軸方向に長手のスリット内を該突起が軸方向に摺動可能な円形摺動軸継ぎ手を有する請求項１記載の電動式タオル絞り機。
【請求項３】
請求項１記載の摺動軸継ぎ手において、駆動軸の横断面が多角形であり、駆動軸に摺動する被駆動筒の内面も摺動軸と同じ多角形であることを特徴とする多角形摺動軸継ぎ手を有する請求項１記載の電動式タオル絞り機。
【請求項４】
本体ケースを壁に固定するための吸盤を設けた請求項１乃至請求項３記載の電動式タオル絞り機。
【請求項５】
本体ケースを壁に固定するためのブラケットを設けた請求項１乃至請求項３記載の電動式タオル絞り機。
【請求項６】
電池を電源とする請求項１乃至請求項５記載の電動式タオル絞り機。
【請求項７】
複数の本体ケースを壁に固定し、商用電源を電源とする請求項１乃至請求項３又は請求項５記載の電動式タオル絞り機。
【発明の詳細な説明】
【技術分野】
【０００１】  本発明は身体障害者などが片手で操作することができ、タオルに含まれた水分を絞り出すことが出来るように成した電動式タオル絞り機に関する。
【背景技術】
【０００２】  一般に、タオルに含まれた水分を絞り出すには、これを長手ほぼ中央部で、二つまたは四つ折りにしたタオルの両端部を両手で握り、タオルを長手方向に捻るようにして絞る。この方法は、両手を使うため、片手を怪我している人や片手に障害のある人はタオルを絞ることが出来ないという問題がある。【０００３】  これを解決するための従来の電動式タオル絞り機として、電動回転する二つのローラーの間にタオルを挟みこみこれらのローラー間の圧力によって、脱水を行う方式（例えば、特許文献１参照）や、床に置いて足で踏むことにより電動スイッチをオンにしフックにかけたタオルを絞る方法がある（例えば、特許文献２参照）。
【特許文献１】  実開平７−０４１３８６
【特許文献２】  特開２００３−１３５８９３
【発明の開示】
【発明が解決しようとする課題】
【０００４】  これらには次のような欠点があった。
例えば、特許文献１についてはその操作上必ずしも片手で絞ることはできず、また、特許文献２場合、その操作上、タオル掛けフックが足元にあること及び足を使うことが必須であることから脚の不自由な人は使えないなどの問題点があった。
本発明はこれらの欠点を解決するためになされたものである。
【課題を解決するための手段】
【０００５】  本発明は、本体内に摺動軸継ぎ手、連結軸、円錐形コイルバネ及びマイクロスイッチを内蔵し、本体内の摺動軸継ぎ手の駆動軸は減速機付き電動機に連結され、本体ケース内で被駆動筒に連結された連結軸の一端にタオル掛けフックを設けたものである。【０００６】  本発明による電動式タオル絞り機により、濡れたタオルを絞るには本体を例えば吸盤などで壁に固定し、濡れたタオルを半折りにしてタオル掛けフックに掛け、他端を握って軸方向に引っ張ることにより、マイクロスイッチが作動しタオル掛けフックが回転しタオルが捩れてタオルが絞られ、さらに過負荷時停止機能を有することを特徴とする。
【発明の効果】
【０００７】  本発明の電動式タオル絞り機によれば、片手が不自由な人でも、簡単なワンタッチ操作でタオルを捻ることができ、タオルに含まれた水分を絞り出す事が可能になった。
【発明を実施するための最良の形態】
【０００８】  以下本発明の最良の実施形態を図面に基づき説明する。
図１（ａ）は本発明の電動式タオル絞り機を示す正面図、図１（ｂ）は図１（ａ）の側面図、図２（ａ）は本体の縦断面図、図２（ｂ）は図２（ａ）のＡ−Ａ断面図、図３（ａ）は多角形軸継ぎ手の縦断面図、図３（ｂ）は図３（ａ）のＢ−Ｂ断面図、図４は電気系統図、図５は浴室などの壁面への設置例、図６は複数台設置時の電気系統図をそれぞれ示す。【０００９】  図１は本発明の一実施例である吸着盤を設けた請求項３による発明の電動式タオル絞り機の例で、図１（ａ）は正面図、図１（ｂ）は側面図を示す。
図１（ａ）及び図１（ｂ）において電動式タオル絞り機１は摺動可能な軸継ぎ手などを内蔵する本体ケース２、電動機３、減速機４、タオル掛けフック５、電池ケース６、主スイッチ７、吸盤８及び吸盤レバー９からなる。【００１０】  図２は請求項２の円形軸継ぎ手の実施例であり図２（ａ）は本体ケース２の内部縦断面図を示し、図２（ｂ）は図２（ａ）のＡ−Ａ断面図を示す。本体ケース２は駆動軸１１、被駆動筒１３、連結軸１５、円錐形コイルバネ１７及びマイクロスイッチ１８を内蔵し、被駆動筒１３に連結する連結軸１５はもう一方の他端でタオル掛けフック５に連結する。円形摺動軸継ぎ手は駆動軸１１の外周には減速機側端と反対側端の近くで、軸外周上相対する向きに２個の突起１２を設け被駆動筒１３の内面に設けたスリット１４内で軸方向に摺動可能であって、駆動軸１１の回転を被駆動筒１３に伝えることができる構造となっている。被駆動筒１３に連結する連結棒１５には球状ふくらみ１６を設け、円錐形コイルバネ１７とタオル掛けフック５の引っ張り力との関係でマイクロスイッチ１８を作動させる。【００１１】  本発明による電動式タオル絞り機１により濡れたタオル１０を絞るには、本体２を例えば吸盤８で壁面等に固定し、濡れたタオル１０を半折りにしてタオル掛けフック５に掛け、タオル１０の他端を握って軸方向に引っ張ればよい。タオル掛けフック５に掛けたタオル１０の他端を握って軸方向に引っ張れることで、連結軸１５の球状ふくらみ１６が移動しマイクロスイッチ１８が作動して電動機３が起動し、減速機４、駆動軸１１、被駆動軸１３及び連結軸１５を介してタオル掛けフック５が回転しタオル１０が捩れてタオル１０が絞られる。タオル１０の絞りをやめるにはタオル１０から手を離すことにより、タオル掛けフック５は円錐形コイルバネ１７の力で本体側に移動し、連結軸１５の球状ふくらみ１６がマイクロスイッチ１８の作用点をはずれてマイクロスイッチ１８はオフ状態になり、電動機は停止する。【００１２】  さらにタオル１０を持ち続けると、タオル１０はさらに捩れてタオル１０の長さが短くなりタオル掛けフック６は本体２から遠ざかり、球状ふくらみ１６がマイクロスイッチ１８をオフ状態にするため、電動機３には一定以上の負荷は掛からず、過負荷時停止機能を有することが特徴である。【００１３】  図３は多角形摺動軸継ぎ手の例である。図３（ａ）は多角形摺動軸継ぎ手の縦断面図であり、図３（ｂ）は図３（ａ）のＢ−Ｂ断面図である。駆動軸２１は軸に垂直な横断面形状が多角形をなし、被駆動筒２２は駆動軸２１がその内側で摺動可能な多角形筒を形成し駆動軸２１の回転を被駆動筒２２に伝えることができる。図３は正六角形の例を示したが、他にも三角形、四角形、五角形、八角形の摺動軸継ぎ手も可能である。【００１４】  図４は本発明による電動式タオル絞り機の電気系統図であって、電動機３、主スイッチ７、マイクロスイッチ１８及び電池２３からなる。【００１５】  図５はブラケット３２を介して電動式タオル絞り機本体２を壁面３１に取付けた例である。【００１６】  図６は福祉施設などの浴場で複数台の電動式タオル絞り機１を壁面に設置した場合の電気系統図を示す。この場合は浴室外に低圧直流変換器���３を設ける必要がある。
【図面の簡単な説明】
【００１７】
【図１】（ａ）電動式タオル絞り機正面図  （ｂ）電動式タオル絞り機側面図
【図２】（ａ）電動式タオル絞り機本体縦断面図  （ｂ）図２（ａ）のＡ−Ａ断面図
【図３】（ａ）多角形摺動軸継ぎ手縦断面図  （ｂ）図３（ａ）のＢ−Ｂ断面図
【図４】電気回路図
【図５】電動式タオル絞り機壁面取り付け例側面図
【図６】電動式タオル絞り機複数台設置時の電気回路図
【符号の説明】
【００１８】  １    電動式タオル絞り機
２    本体ケース
３    電動機
４    減速機
５    タオル掛けフック
６    電池ケース
７    主スイッチ
８    吸盤
９    吸盤レバー
１０    タオル
１１    円形駆動軸
１２    突起
１３    円形被駆動筒
１４    スリット
１５    連結軸
１６    球状ふくらみ
１７    円錐形コイルバネ
１８    マイクロスイッチ
１９    軸受け
２０    軸受け
２１    多角形駆動軸
２２    多角形被駆動筒
２３    電池
３１    壁面
３２    ブラケット
３３    低圧直流変換器
３４    商用電源
【図１】
2010038522.tif 000003
【図２】
2010038522.tif 000004
【図３】
2010038522.tif 000005
【図４】
2010038522.tif 000006
【図５】
2010038522.tif 000007
【図６】
2010038522.tif 000008